(57)【特許請求の範囲】
【請求項１】
前面に、ディスク状記憶媒体が挿入される水平方向に長いスリットを有し、挿入されたディスク状記憶媒体の記録及び／又は再生を行う装置本体と、
上記装置本体の前面に上記スリットを開閉する閉蓋状態と開蓋状態に移動自在に取り付けた操作パネルと、
上記操作パネルの閉蓋状態のときに、上記装置本体と該操作パネルの間に介在されて上記スリットに対向する位置に配置され且つ上記装置本体の該スリットの下部に対応する位置に下方部が軸支されて取り付けられ、上記ディスク状記憶媒体を水平方向に位置させて上記スリットに案内させるガイドブラケットと、
上記操作パネルの開蓋状態のとき、上記装置本体と上記ガイドブラケット間に設けられ強制的に上記ガイドブラケットの上方部を斜め前方に回動させるように設けられたバネとからなり、
上記ガイドブラケットの上方部を斜め前方に回動させたとき、上記ガイドブラケットは上記スリットの長手方向の両側部に対向する部分が上記スリットの長手方向の中心部に対向する部分より上方部斜め前方に突出させた形状とした
ことを特徴とするディスク記録及び／又は再生装置。
【発明の詳細な説明】
【０００１】
【発明の属する技術分野】
本発明は、光ディスクや光磁気ディスク等のディスク状記憶媒体を使用して情報信号の記録（書込み）及び／又は再生（読出し）を行うようにしたディスク記憶装置に関し、特に、ディスク状記憶媒体を装置本体内に挿入する際に情報記憶面を傷付けないようにしたディスク記憶装置に関するものである。
【０００２】
【従来の技術】
従来、一般に、この種のディスク記憶装置としては、例えば、図１７及び図１８に示すようなものが知られている。このディスク記憶装置１は、自動車等に搭載される車載用ＣＤ（コンパクトディスク）プレーヤであり、図１７及び図１８にはフロントパネル２を移動させてディスク挿入口３を開いた状態が表されている。
【０００３】
このＣＤプレーヤ１は、前面上部の略中央部にディスク挿入口３が設けられた装置本体４と、この装置本体４の前面に傾動可能に支持されているフロントパネル２等を備えている。装置本体４に設けられたディスク挿入口３は、横方向に細長く形成されたスリット状の長穴からなっている。そして、ディスク挿入口３の周縁部には人口スエードからなる摩擦低減材６が貼付されており、この摩擦低減材６でＣＤ５の平面が強く擦り合わされるのを防ぐことにより、ＣＤ５の平面が傷付けられることを防止している。
【０００４】
この装置本体４の前面に配置されたフロントパネル２には、このＣＤプレーヤ１を操作するための多数の操作スイッチ及び操作ダイヤル７と、これら操作ダイヤル７等によって選択される制御情報や音楽再生等のプレー状態等を表示する表示器等が取り付けられている。このフロントパネル２は、ディスク挿入口３を開閉するための蓋体の役割を兼ね備えており、装置本体４側に設けられた傾動機構８により傾動可能に支持されている。
【０００５】
この傾動機構８の作動によりフロントパネル２は、図に示す傾斜した状態と、図示しない立ち上げられた状態とを選択的に取ることができる。そして、フロントパネル２が傾斜した状態ではディスク挿入口３が開放され、フロントパネル２を立ち上げることにより、ディスク挿入口３が完全に閉じられるようになっている。
【０００６】
【発明が解決しようとする課題】
しかしながら、このような従来のディスク記憶装置においては、スリット状をなすディスク挿入口３の周縁部に人口スエード等の摩擦低減材６を貼付してＣＤ５の保護を図るようにしていたが、ディスク挿入口３が四角形の細い長穴で構成されていたため、表面が柔らかい摩擦低減材６であってもＣＤ５の表面と擦り合わされることに代わりがなかった。そのため、ＣＤ５の情報記憶面が摩擦低減材６により擦られ、その摩擦力の掛かり方や埃が付着している等の摺動面の条件により、情報記憶面が傷付けられるという課題があった。
【０００７】
また、フロントパネル２に操作ダイヤル７等の障害物となる突起物がある場合には、その突起物も人口スエード等で覆う必要がある。そのため、突起物を覆う人口スエード等によって突起物自体が大きなものとなり、装置全体の小型化を図ることができないという課題もあった。
【０００８】
本発明は、このような従来の課題に鑑みてなされたものであり、ディスク状記憶媒体をディスク挿入口へ挿入する際に、その外周縁のみを接触させてその内側の情報記憶面がディスク挿入口の周縁部等に接触しないようにすることにより、上記課題を解決することを目的としている。
【０００９】
【課題を解決するための手段】
上述したような課題等を解決し、上記目的を達成するために、本発明のディスク記録及び／又は再生装置は、前面に、ディスク状記憶媒体が挿入される水平方向に長いスリットを有し、挿入されたディスク状記憶媒体の記録及び／又は再生を行う装置本体と、その装置本体の前面にスリットを開閉する閉蓋状態と開蓋状態に移動自在に取り付けた操作パネルと、その操作パネルの閉蓋状態のときに、装置本体と操作パネルの間に介在されてスリットに対向する位置に配置され且つ装置本体のスリットの下部に対応する位置に下方部が軸支されて取り付けられ、ディスク状記憶媒体を水平方向に位置させてスリットに案内させるガイドブラケットと、操作パネルの開蓋状態のとき、装置本体とガイドブラケット間に設けられ強制的にガイドブラケットの上方部を斜め前方に回動させるように設けられたバネとからなり、ガイドブラケットの上方部を斜め前方に回動させたとき、ガイドブラケットはスリットの長手方向の両側部に対向する部分がスリットの長手方向の中心部に対向する部分より上方部斜め前方に突出させた形状としたことを特徴としている。
【００１５】
上述のように構成したことにより、本発明のディスク記録及び／又は再生装置では、ガイド部材に設けたディスクガイドに沿ってディスク状記憶媒体を挿入することにより、ディスク状記憶媒体の外周縁のみがディスクガイドに摺接し、その内側がディスクガイドに接触することがないため、ディスク状記憶媒体の情報記憶面が傷付けられるのを防止することができる。
また、ガイドブラケットを前方へ倒すだけでディスクガイドをディスク挿入口に対向させることができる。そして、操作パネルを回動させて表面又は裏面を上に向けるだけでディスクガイドをディスク挿入口に対向させることができる。更に、ディスクガイドの深さが十分に深いため、操作パネルに突設された突起物を避けてディスク状記憶媒体をディスク挿入口に挿入することができる。
【００２１】
【発明の実施の形態】
以下、本発明の実施の形態を図面を参照して説明する。図１〜図７は、本発明の実施の例を示すもので、ＣＤ（コンパクトディスク）をディスク状記憶媒体として使用して情報信号の再生（読取り）を行うようにしたディスク記憶装置の一具体例を示す再生専用の車載用ＣＤプレーヤに適用したものである。
【００２２】
即ち、図１〜図７は本発明に係る車載用ＣＤプレーヤの実施例を示すもので、図１はフロントパネルを開いた状態の正面図、図２は同じく平面図、図３は同じく側面図、図４はガイド部材のガイド開閉機構を示す説明図、図５はフロントパネルのパネル開閉機構を示す説明図、図６はフロントパネルを閉じた状態の側面図、図７は同じく正面図である。
【００２３】
また、図８〜図１１は本発明の前提となる技術に係る車載用ＣＤプレーヤの例を示すもので、図８はフロントパネルを開いた状態の正面図、図９は同じく側面図、図１０はフロントパネルを閉じた状態の側面図、図１１は同じく正面図である。
【００２４】
更に、図１２〜図１６は本発明の前提となる技術に係る車載用ＣＤプレーヤの他の例を示すもので、図１２はフロントパネルを開いた状態の正面図、図１３は同じく側面図、図１４はフロントパネルのパネル開閉機構を示す説明図、図１５はフロントパネルを閉じた状態の側面図、図１６は同じく正面図である。
【００２５】
図１〜図７に示すように、この発明の実施例に係る車載用ＣＤプレーヤ１０は、ディスクローディング機構や光学ピックアップ装置その他の装置・機構が内蔵された装置本体１１と、この装置本体１１の前面に傾動可能に支持された蓋体の一具体例を示すフロントパネル１２等を備えている。
【００２６】
装置本体１１は、板金等によって形成された匣体からなる外装部材１３と、この外装部材１３の正面に開口された開口部を閉じるように装着される前面部材１４とを備えている。前面部材１４の横方向両側部には、外装部材１３の開口部内に入り込む結合片１４ａがそれぞれ設けられており、外装部材１３の側面板を貫通して結合片１４ａのネジ穴に螺合される固定ねじの締め込みにより、前面部材１４が外装部材１３に一体的に結合されて装置本体１１が構成される。
【００２７】
図１に示すように、前面部材１４の前面上部の略中央部には、横方向に細長とされたスリット状の長穴からなるディスク挿入口１５が設けられている。このディスク挿入口１５は前面部材１４の表裏両面を前後に貫通しており、このディスク挿入口１５の内側には、図示しないが、挿入されたディスク状記憶媒体の一具体例を示すＣＤ１６を保持してスピンドルモータにチャッキングするディスクローディング機構が配設されている。
【００２８】
このディスク挿入口１５の、挿入されるＣＤ１６の平面に対向する長辺はＣＤ１６の最大径よりも若干大きく設定されていると共に、その長手方向両端部において対向する短辺はＣＤ１６の厚みの２〜３倍程度の大きさに設定されている。更に、ディスク挿入口１５の長辺側の上下両辺には、円弧状の円弧ガイド１７ａ，１７ｂがそれぞれ設けられている。これらの円弧ガイド１７ａ，１７ｂは、長手方向の中央側を凹とした円弧面とされており、上下の円弧ガイド１７ａ，１７ｂは略同じ大きさの曲率半径を有し、その長手方向両端部と長手方向中央部との間には変位量Ｅ１が設定されている。
【００２９】
この前面部材１４の前面には、図１〜図４に示すように、フロントパネル１２の内側においてディスク挿入口１５を開閉するように傾動可能とされたガイド部材の第１の実施例を示すガイドブラケット１８が取り付けられている。このガイドブラケット１８は、ディスクガイドの第１の実施例を示す円弧ガイド１９が上面に設けられたガイド本体１８ａと、このガイド本体１８ａの下端部において横方向両外側へ突出するように設けられた回動軸部１８ｂとを有している。左右の回動軸部１８ｂは、前面部材１４に設けられた軸受部１４ｂにそれぞれ回動自在に支持されている。
【００３０】
図４に示すように、回動軸部１８ｂにはねじりコイルばね２０のコイル部２０ａが緩く嵌合されており、このコイル部２０ａの一端に連続するばね片２０ｂが前面部材１４に設けたばね受穴１４ｃに係止され、他端に連続するばね片２０ｃがガイド本体１８ａに係止されている。このねじりコイルばね２０のばね力により、ガイドブラケット１８が常時外側、即ち、ディスク挿入口１５を開放する方向に付勢されている。そして、軸受部１４ｂに設けたストッパ１４ｄにより、ガイドブラケット１８の前方への移動を制限すると共に、この制限状態においてガイド本体１８ａの上端面に設けた円弧ガイド１９がディスク挿入口１５に対向するよう所定の高さ位置となるように構成している。
【００３１】
このガイドブラケット１８のガイド本体１８ａの上端部は、図１及び図２に示すように、正面及び平面のいずれから見た場合にも、長手方向の中央部が凹となるよう外高に形成され、両端部には前方に突出する張出部１８ｃが設けられている。このガイド本体１８ａの上端部に設けられた円弧ガイド１９は、ディスク挿入口１５の上下円弧ガイド１７ａ，１７ｂの曲率半径よりも小さい曲率半径で形成されており、これにより、長手方向両端部と長手方向中央部との間の変位量Ｅ２を上下円弧ガイド１７ａ，１７ｂの変位量Ｅ１よりも大きく設定している。
【００３２】
このように円弧ガイド１９の中央変位量Ｅ２を上下円弧ガイド１７ａ，１７ｂの中央変位量Ｅ１よりも大きくした理由は、円弧による高さ変化を大きくしてＣＤ１６の情報記憶面が円弧ガイド１９と接触するのをより確実に防止しようとするためである。これにより、図４に示すように、挿入開始時のＣＤ１６ａのディスク位置から最大径がディスク挿入口１５を通過する時のＣＤ１６ｂのディスク位置までの高さＨを大きく取るようにしている。
【００３３】
その結果、後述するように、挿入開始時には干渉する高さにある突起物に対して、挿入を進めることでＣＤ１６の位置が早期に所定の高さ位置まで移動して、突起物等の障害物との干渉を避けることができる。このガイドブラケット１８の傾動動作は、フロントパネル１２の開閉動作と連動するように行われる。
【００３４】
フロントパネル１２は横長の中空板状体からなり、その内部には、必要な電子部品が搭載されたプリント配線基板等が収納されている。このフロントパネル１２の前面には、図７に示すように、略中央部に配置された横長四角形の表示部２２と、この表示部２２の周囲を囲むように配置された多数の操作ボタンを有する操作部２３と、表示部２２の左隣に配置された突起物の一具体例を示す操作ダイヤル２４等が配設されている。そして、前面右上部には、このフロントパネル１２を開閉動作させるパネル開閉機構３０の開閉ボタン２５が取り付けられている。
【００３５】
このパネル開閉機構３０は、図５に示すような構成を有している。即ち、パネル開閉機構３０は、前面部材１４の正面略中央部に配置されて装置本体１１に固定支持されるベースパネル３１と、装置本体１１に前後方向へ移動可能に支持されるスライドレバー３２と、このスライドレバー３２に固定支持されるラック３３と、駆動源として駆動力を発生する駆動モータ３４と、この駆動モータ３４の動力をラック３３に伝達してスライドレバー３２を前後方向へ摺動動作させる動力伝達ギア列３５と、スライドレバー３２の前後動作に基づいてフロントパネル１２を傾動動作させるパネルホルダ３６等を備えている。
【００３６】
ベースパネル３１は、平面形状がコ字状をなすパネル部材からなり、下端部に設けた固定片３１ａを固定ねじ等の固着手段で図示しないシャーシに固定することにより、装置本体１１に取り付けられる。このベースパネル３１の凹部内には、立ち上がった状態のフロントパネル１２の後部が挿入される。このベースパネル３１の両側部に設けた側面片３１ｂには、後方へ若干傾斜させて上下方向に延在させた縦ガイド穴３７を設けている。この縦ガイド穴３７は、上端部において前方へ開口するように形成されており、この開口部からパネルホルダ３６のガイドピン３８が挿入されて、上下方向へ摺動可能に係合保持されている。
【００３７】
パネルホルダ３６は、フロントパネル１２の後部を嵌合保持することができる構成とされており、各側面片３１ｂに対応させて、長手方向両側部の上部にはガイドピン３８が固定される上支持片３６ａが設けられ、その下部には下支持片３６ｂが設けられている。このパネルホルダ３６の下支持片３６ｂには連結ピン３９が固定されており、この連結ピン３９はスライドレバー３２の先端部に設けたピン穴に回動自在に嵌合されている。
【００３８】
このスライドレバー３２は、前後方向に延びた細長い板状部材からなり、その前半部及び後半部には前後方向に延びる互いに平行とされた２つの横ガイド穴４０ａ，４０ｂが設けられている。これら横ガイド穴４０ａ，４０ｂには、装置本体１１に設けられるガイドピン４１ａ，４１ｂがそれぞれ摺動可能に係合され、これらガイドピン４１ａ，４１ｂにガイドされてスライドレバー３２が前後方向へ直線的に移動することができる。更に、スライドレバー３２の前部横ガイド穴４０ａの近傍には、多数の歯を上に向けた状態でラック３３が一体的に取り付けられている。
【００３９】
このラック３３には、ベースパネル３１に支持軸３１ｃを介して回転自在に支持された駆動ギア４２が噛合されている。この駆動ギア４２には、動力伝達ギア列３５の第５の中間ギア３５ｅが一体に設けられていて、この第５の中間ギア３５ｅには第４の中間ギア３５ｄが噛合されている。更に、第４の中間ギア３５ｄには第３の中間ギア３５ｃが噛合され、これと一体に設けられた第２の中間ギア３５ｂには第１の中間ギア３５ａが噛合されている。そして、第１の中間ギア３５ａにはウォームホイール４３が一体に設けられており、このウォームホイール４３に噛合されたウォーム４４が、駆動モータ３４の回転軸３４ａに固定されている。
【００４０】
この駆動モータ３４は、装置本体１１のシャーシ（図示せず）に固定されている。更に、ウォームホイール４３及び第１の中間ギア３５ａは第１の支持軸４５ａに、第２の中間ギア３５ｂ及び第３の中間ギア３５ｃは第２の支持軸４５ｂに、第４の中間ギア３５ｄは第３の支持軸４５ｃにそれぞれ回動自在に支持されている。そして、これら第１〜第３の支持軸４５ａ〜４５ｃは、シャーシにそれぞれ立設されている。
【００４１】
かくして、開閉ボタン２５を操作してモータ用スイッチを切り換えることにより、駆動モータ３４が時計方向Ｒと反時計方向Ｌとに選択的に回転駆動される。この駆動モータ３４を駆動して、ウォームギア（４４及び４３）及び動力伝達ギア列３５を介して駆動ギア４２からラック３３に回転力を伝達することにより、駆動ギア４２の回転方向に応じてスライドレバー３２がスライド動作する。
【００４２】
即ち、駆動ギア４２が時計方向Ｒに回転すると、ラック３３を介してスライドレバー３２が後方へ移動し、連結ピン３９を介してフロントパネル１２の下端部を後方へ引き寄せる。これにより、フロントパネル１２の上端部に設定されたガイドピン３８が縦ガイド穴３７にガイドされて上方へ移動する。そして、スライドレバー３２が後端まで移動すると共にガイドピン３８が縦ガイド穴３７を上端まで移動することにより、フロントパネル１２が、図６及び図７に示すように、略垂直に立ち上げられた状態に変化する。その結果、ディスク挿入口１５がフロントパネル１２によって完全に閉じられた状態になる。
【００４３】
一方、駆動ギア４２が反時計方向Ｌに回転すると、ラック３３を介してスライドレバー３２が前方へ移動し、連結ピン３９を介してフロントパネル１２の下端部を前方に押し出す。これと同時に、ガイドピン３８が縦ガイド穴３７にガイドされて下方へ移動して下端に達することにより、図１〜図３に示すように、フロントパネル１２が斜め上向きの状態に変化する。その結果、ディスク挿入口１５が完全に開かれた状態になり、その後、ＣＤ１６の挿入動作が可能となる。
【００４４】
このような構成を有する車載用ＣＤプレーヤ１０において、図６及び図７に示すフロントパネル１２が閉じた状態から、開閉ボタン２５を押圧することにより、パネル開閉機構３０の駆動モータ３４が駆動され、上述したように下部が前方に迫り出しつつ後方に倒れて、フロントパネル１２が開かれる。これにより、車載用ＣＤプレーヤ１０の前面部が図１〜図３に示すような状態に変化し、ディスク挿入口１５が開かれる。
【００４５】
この際、フロントパネル１２が開かれることにより、その内側に配置されたガイドブラケット１８の前方への回動を規制する力が取り除かれるため、その後、ねじりコイルばね２０のバネ力により前方へ回動されて、図４に示すような状態に変化する。これにより、図１に示すように、ガイドブラケット１８が前方に所定角度倒されて、ディスク挿入口１５が完全に開かれた状態になる。
【００４６】
そこで、ＣＤ１６を水平状態にしてディスク挿入口１５に挿入する。この場合、図１〜図４に示すように、ＣＤ１６をディスク挿入口１５に挿入して行くと、まず、ＣＤ１６の挿入側先端部がガイドブラケット１８の円弧ガイド１９に到達し、更に挿入を進めることにより、その挿入側先端部がディスク挿入口１５に到達する。
【００４７】
この際、挿入開始時におけるＣＤ１６ａの位置は、図１及び図２において符号Ｔで示すように、操作ダイヤル２４と干渉する高さにあるが、この操作ダイヤル２４部分に位置するディスク幅は小さく、その最大径である部分は、未だ操作ダイヤル２４の後方に位置しているため、このＣＤ１６が操作ダイヤル２４と干渉を起こすことがない。更に、ＣＤ１６の挿入を続けると、ＣＤ１６の外周縁がガイドブラケット１８の円弧ガイド１９にガイドされて上方に導かれ、その位置を高くしながら挿入動作が継続される。
【００４８】
そして、ＣＤ１６の最大径部分が操作ダイヤル２４の位置に達するころには、ＣＤ１６の位置が円弧ガイド１９により十分に高い位置に移動され、その操作ダイヤル２４を乗り越えているようになる。その結果、操作ダイヤル２４がＣＤ１６の情報記憶面に接触することがなく、また、ＣＤ１６が円弧ガイド１９と接触する部分はその外周縁のみであって、その内側に設定されている情報記憶面が円弧ガイド１９と接触することがない。従って、ＣＤ１６をディスク挿入口１５に挿入するに際して、その情報記憶面を擦って傷つけることがなく、傷のないクリアな情報再生を行うことができる。
【００４９】
その後、ＣＤ１６がディスク挿入口１５を通過するときにも、ＣＤ１６の情報記憶面がディスク挿入口１５の周縁部に接触することがなく、また、接触するとしてもそれは情報信号の記録がなされていない外周縁のみである。従って、ＣＤ１６を、その情報記憶面を傷つけることなくディスク挿入口１５からＣＤプレーヤ１０内に確実に挿入することができる。このことは、ＣＤ１６の取出動作においても同様であり、同じくＣＤ１６の情報記憶面を傷つけることなくディスク挿入口１５から取り出すことができるものである。
【００５０】
図８〜図１１に示す本発明の前提となる技術に係る車載用ＣＤプレーヤ５０は、上記実施例におけるガイドブラケット１８の使用を止めて、フロントパネル５２の前面にディスクガイドである円弧ガイド５３を設け、この円弧ガイド５３でＣＤ１６を直に受けるようにしたものである。
【００５１】
図８に示すように、フロントパネル５２の前面には、長手方向である横方向の中央側を凹としたディスクガイドとしての円弧状の円弧ガイド５３が設けられている。この円弧ガイド５３の機能を満足するため、このフロントパネル５２の前面には、上述した操作ダイヤル２４等の突起物は設けておらず、全体が平面的に構成されている。他の構成は、上述した実施例と同様である。
【００５２】
図１２〜図１６に示す本発明の前提となる技術に係る車載用ＣＤプレーヤ６０は、ベースパネル６１でフロントパネル６２の下部を回動可能に支持して、フロントパネル６２を前方に回動させてディスク挿入口１５を開放させる構成としたものである。フロントパネル６２の背面にディスクガイドである円弧ガイド６３を設け、この円弧ガイド６３でＣＤ１６を受けるように構成している。
【００５３】
ベースパネル６１は、図１２に示すように、ディスク挿入口１５を避けるさように前面部材６４の前面一側部に取り付けられる。このベースパネル６１は、図１４に示すように、平面形状がコ字状をなすパネル部材からなり、このベースパネル６１の凹部内には、パネル開閉機構７０のロックレバー６５とオープンレバー６６とがそれぞれ上下方向へ回動可能に収納されている。ベースパネル６１の両側部に設けた側面片６１ａには、その一部を切り起こすことによって上下の支持片６７ａ，６７ｂが、それぞれ横方向に対向するように設けられている。そして、ベースパネル６１の上支持片６７ａ間には支持軸６８ａを介してロックレバー６５が回動自在に支持され、下支持片６７ｂ間には支持軸６８ｂを介してオープンレバー６６が回動自在に支持されている。
【００５４】
ロックレバー６５は、逆Ｌ字状に形成されたレバー部材からなり、その基部に設けた軸受穴に支持軸６８ａが回動自在に挿通されている。このロックレバー６５の基部には、ねじりコイルばね６９ａのコイル部が緩く嵌合されていて、このコイル部の一端に連続するばね片は上支持片６７ａに係止され、コイル部の他端に連続するばね片はロックレバー６５に係止されている。このねじりコイルばね６９ａのバネ力により、ロックレバー６５は常時フロントパネル６２側に付勢されている。このロックレバー６５の先端には、ベースパネル６１を係止するための係止爪６５ａが内向きに設けられている。そして、係止爪６５ａの内側には、オープンレバー６６を係合してロックするための係止部６５ｂが設けられている。
【００５５】
また、オープンレバー６６は、中央部に円弧状の回避部６６ａが形成され且つ先端部に鏃状のロック部６６ｂが形成されたレバー部材からなり、その基部に設けた軸受穴に支持軸６８ｂが回動自在に挿通されている。このオープンレバー６６の基部には、ねじりコイルばね６９ｂのコイル部が緩く嵌合されていて、このコイル部の一端に連続するばね片は下支持片６７ｂに係止され、コイル部の他端に連続するばね片はオープンレバー６６に係止されている。このねじりコイルばね６９ｂのバネ力により、オープンレバー６６は常時フロントパネル６２側に付勢されている。
【００５６】
このオープンレバー６６の回避部６６ａは、ロックレバー６５の基部との干渉を回避するために設けたものである。このオープンレバー６６を起こしてロック部６６ｂをロックレバー６５の横に重ね合わせることにより、ロックレバー６５の基部が回避部６６ａの凹部内に入り込んで両レバー６５，６６の干渉が回避できるようになっている。このオープンレバー６６のロック部６６ｂには、ロックレバー６５側に突出するロックピン６６ｃが設けられている。このロックピン６６ｃがロックレバー６５の係止部６５ｂにて係止されることにより、オープンレバー６６がロックレバー６５に係止されてロックされる。
【００５７】
また、ベースパネル６１の両側面片６１ａの下部には、前方に突出するパネル支持片６１ｂがそれぞれ設けられている。このパネル支持片６１ｂ間には支持軸６１ｃが貫通され、この支持軸６１ｃによりフロントパネル６２が回動自在に支持されている。更に、支持軸６１ｃには駆動ギア７１が固定されていて、この駆動ギア７１を回転駆動することにより、フロントパネル６２が、図１２〜図１４に示すように９０°前方へ回動した前倒し状態と、図１５及び図１６に示すようにディスク挿入口を完全に閉じた起立状態とを選択的にとることができるようになっている。
【００５８】
フロントパネル６２の背面には、図１２に示すように、長手方向である横方向の中央側を凹としたディスクガイドとしての円弧状の円弧ガイド６３が設けられている。この円弧ガイド６３の機能を満足するため、フロントパネル６２の背面中央部には突起物はないが、ＣＤ１６の通過する領域を避けた一側部には、ロックレバー６５により係止されてロックされるロック受部７２が設けられている。
【００５９】
一方、フロントパネル６２の前面には、図１６に示すように、略中央部に配置された横長四角形の表示部７３と、この表示部７３の周囲を囲むように配置された多数の操作ボタンを有する操作部７４と、表示部７３の左隣に配置された操作ダイヤル７５等が配設されている。そして、前面右上部には、このフロントパネル６２を開閉操作させるパネル開閉機構７０の開閉ボタン７６が取り付けられている。
【００６０】
このような構成を有する車載用ＣＤプレーヤ６０において、図１５及び図１６に示すフロントパネル６２が閉じた状態から、開閉ボタン７６を押圧すると、ロックレバー６５が支持軸６８ａを中心に後方へ回動されて係止部６５ｂが後退し、ロックピン６６ｃの係合が解除される。これにより、オープンレバー６６がねじりコイルばね６９ｂのバネ力で前方に回動し、その回動力によりフロントパネル６２の上部が前方へ押し出される。その結果、フロントパネル６２が支持軸６１ｃを中心に、図１４において時計方向に回動されて、ディスク挿入口１５が開かれる。
【００６１】
そこで、ＣＤ１６を水平状態にしてディスク挿入口１５に挿入することにより、ＣＤ１６の挿入側先端部が円弧ガイド６３にガイドされてディスク挿入口１５からＣＤプレーヤ６０内に挿入される。このＣＤ１６がディスク挿入口１５を通過する際には、ＣＤ１６の情報記憶面がディスク挿入口１５の周縁部に接触することがなく、また、接触するとしてもそれは情報信号の記録がなされていない外周縁のみである。従って、ＣＤ１６を、その情報記憶面を傷つけることなくディスク挿入口１５からＣＤプレーヤ６０内に確実に挿入することができる。
【００６２】
フロントパネル６２を閉める場合には、図１４に示す状態から、フロントパネル６２の上部を手で引き起こすようにする。そして、フロントパネル６２の回動力でオープンレバー６６を引き起こし、ディスク挿入口１５が完全に閉じるまでフロントパネル６２を立ち上げることにより、オープンレバー６６のロックピン６６ｃがロックレバー６５の係止部６５ｂ内に入り込む。これにより、オープンレバー６６がロックレバー６５によりロックされる。これと連動するように、ロックレバー６５の係止爪６５ａ内にロック受部７２が入り込み、同じくフロントパネル６２がロックレバー６５によってロックされる。その結果、フロントパネル６２が前面部材６４の前面に装着され、フロントパネル６２によるディスク挿入口１５の閉塞が完了する。
【００６３】
以上説明したが、本発明は上記実施の例に限定されるものではなく、例えば、上記実施の例においては、情報記憶媒体として光ディスクを使用して再生を専用に行う車載用ＣＤプレーヤに適用した例について説明したが、車載用のみならず、通常のＣＤプレーヤに適用することができる。更に、ＣＤのみならず、光磁気ディスクその他のディスク状記憶媒体を用いて、再生のみならず記録も可能とした記録再生両用のディスク記録再生装置、その他各種のディスク記憶装置に適用することができるものである。
【００６４】
また、上記実施の例では、ディスクガイドとして円弧状の局面を有する円弧ガイド１７ａ，１７ｂ、１９に適用した例について説明したが、円弧に代えてＶ字状の平面とすることができ、これによっても上記実施例と同様の効果を得ることができるものである。このように、本発明は、その趣旨を逸脱しない範囲で種々変更できるものである。
【００６５】
【発明の効果】
以上説明したように、本発明のディスク記録及び／又は再生装置によれば、ガイド部材に設けたディスクガイドに沿ってディスク状記憶媒体を挿入することにより、ディスク状記憶媒体の外周縁のみがディスクガイドに摺接し、その内側がディスクガイドに接触することがないため、ディスク状記憶媒体の情報記憶面が傷付けられるのを防止できるディスク記録及び／又は再生装置を提供することができるという効果が得られる。しかも、ディスク状記憶媒体を保護するための人工スエード等の保護部材の使用を廃止することができるため、部品点数の削減にも寄与することができる。
また、ガイドブラケットを前方へ倒すだけでディスクガイドをディスク挿入口に対向させることができる。そして、操作パネルを回動させて表面又は裏面を上に向けるだけでディスクガイドをディスク挿入口に対向させることができる。更に、ディスクガイドの深さが十分に深いため、操作パネルに突設された突起物を避けてディスク状記憶媒体をディスク挿入口に挿入することができるという効果が得られる。
【図面の簡単な説明】
【図１】  本発明のディスク記録及び／又は再生装置の実施例に係る車載用ＣＤプレーヤを示すもので、フロントパネルを開いた状態の正面図である。
【図２】図１に示す車載用ＣＤプレーヤのフロントパネルを開いた状態の平面図である。
【図３】図１に示す車載用ＣＤプレーヤのフロントパネルを開いた状態の側面図である。
【図４】図１に示す車載用ＣＤプレーヤのガイド部材のガイド開閉機構を示す説明図である。
【図５】図１に示す車載用ＣＤプレーヤのフロントパネルのパネル開閉機構を示す説明図である。
【図６】図１に示す車載用ＣＤプレーヤのフロントパネルを閉じた状態の側面図である。
【図７】図１に示す車載用ＣＤプレーヤのフロントパネルを閉じた状態の正面図である。
【図８】  本発明のディスク記録及び／又は再生装置の前提となる技術に係る車載用ＣＤプレーヤを示すもので、フロントパネルを開いた状態の正面図である。
【図９】図６に示す車載用ＣＤプレーヤのフロントパネルを開いた状態の側面図である。
【図１０】図１に示す車載用ＣＤプレーヤのフロントパネルを閉じた状態の側面図である。
【図１１】図１に示す車載用ＣＤプレーヤのフロントパネルを閉じた状態の正面図である。
【図１２】  本発明のディスク記録及び／又は再生装置の前提となる技術の他の例に係る車載用ＣＤプレーヤを示すもので、フロントパネルを開いた状態の正面図である。
【図１３】図１０に示す車載用ＣＤプレーヤのフロントパネルを開いた状態の側面図である。
【図１４】図１０に示す車載用ＣＤプレーヤのフロントパネルのパネル開閉機構を示す説明図である。
【図１５】図１０に示す車載用ＣＤプレーヤのフロントパネルを閉じた状態の側面図である。
【図１６】図１０に示す車載用ＣＤプレーヤのフロントパネルを閉じた状態の正面図である。
【図１７】従来の車載用ＣＤプレーヤを示すもので、フロントパネルを開いた状態の正面図である。
【図１８】従来の車載用ＣＤプレーヤのフロントパネルを開いた状態の側面図である。
【符号の説明】
１０，５０，６０…ＣＤプレーヤ（ディスク記憶装置）、１１…装置本体、１２，５２，６２…フロントパネル（ガイド部材）、１３…外装部材、１４，６４…前面部材、１５…ディスク挿入口、１６，１６ａ，１６ｂ…コンパクトディスクＣＤ（ディスク状記憶媒体）、１７ａ，１７ｂ，１９，５３，６３…円弧ガイド（ディスクガイド）、１８…ガイド部材、２０，６９ａ，６９ｂ…ネジリコイルばね、２４，７５…操作ダイヤル（突起物）、２５，７６…開閉ボタン、３０，７０…パネル開閉機構、３１，６１…ベースパネル、３２…スライドレバー、６５…ロックレバー、６５ａ…係止爪、６５ｂ…係止部、６６…オープンレバー、６６ｂ…ロック部、６６ｃ…ロックピン、７２…ロック受部
【図１】
0003873447.tif 000002
【図２】
0003873447.tif 000003
【図３】
0003873447.tif 000004
【図４】
0003873447.tif 000005
【図５】
0003873447.tif 000006
【図６】
0003873447.tif 000007
【図７】
0003873447.tif 000008
【図８】
0003873447.tif 000009
【図９】
0003873447.tif 000010
【図１０】
0003873447.tif 000011
【図１１】
0003873447.tif 000012
【図１２】
0003873447.tif 000013
【図１３】
0003873447.tif 000014
【図１４】
0003873447.tif 000015
【図１５】
0003873447.tif 000016
【図１６】
0003873447.tif 000017
【図１７】
0003873447.tif 000018
【図１８】
0003873447.tif 000019